(57)【特許請求の範囲】
【請求項１】
同一被写体について異なる時期に撮影された複数の医用画像のうちの一部の医用画像について画像上の箇所を操作に応じて設定するとともに、該複数の医用画像のうち、該箇所を設定された医用画像とは別の医用画像については、該箇所に相当する箇所を設定する箇所設定部と、
前記複数の医用画像それぞれの、前記箇所設定部で設定された箇所から抽出した抽出像が共通サイズの表示領域内にいずれも表示可能となるように、各抽出像のサイズに合わせて該共通サイズを決定するサイズ決定部と、
前記共通サイズの表示領域に前記抽出像を表示する表示部とを備えたことを特徴とする画像表示装置。
【請求項２】
前記表示部が、前記複数の医用画像それぞれの前記抽出像を、互いに並んだ複数の表示領域それぞれに表示するものであることを特徴とする請求項１記載の画像表示装置。
【請求項３】
前記医用画像が、前記被写体内で所定方向に並んだ複数の切断位置それぞれにおける複数の断面画像からなる断面画像群を構成する断面画像であって、前記複数の医用画像は、別々の断面画像群に属して互いに切断位置が共通した複数の断面画像であり、
前記サイズ決定部が、前記断面画像群中の複数の断面画像に亘って連なっている、前記箇所から抽出した抽出像を含んだ一連の抽出像群を構成する各抽出像のサイズに合わせて、前記別々の断面画像群に属する該一連の抽出像群を構成する各抽出像が前記共通サイズの表示領域内にいずれも表示可能となるように該共通サイズを決定するものであり、
前記表示部が、前記一連の抽出像群を構成する各抽出像を前記共通サイズの表示領域に表示し、所定操作を受けて、その表示した抽出像に替えて、該一連の抽出像群に属する他の抽出像を表示するものであることを特徴とする請求項１又は２記載の画像表示装置。
【請求項４】
同一被写体について異なる時期に撮影された複数の医用画像のうちの一部の医用画像について画像上の箇所を操作に応じて設定するとともに、該複数の医用画像のうち、該箇所を設定された医用画像とは別の医用画像については、該箇所に相当する箇所を設定する箇所設定過程と、
前記複数の医用画像それぞれの、前記箇所設定部で設定された箇所から抽出した抽出像が共通サイズの表示領域内にいずれも表示可能となるように、各抽出像のサイズに合わせて該共通サイズを決定するサイズ決定過程と、
前記共通サイズの表示領域に前記抽出像を表示する表示過程とを備えたことを特徴とする画像表示方法。
【請求項５】
コンピュータ内で実行され、該コンピュータ上に、
同一被写体について異なる時期に撮影された複数の医用画像のうちの一部の医用画像について画像上の箇所を操作に応じて設定するとともに、該複数の医用画像のうち、該箇所を設定された医用画像とは別の医用画像については、該箇所に相当する箇所を設定する箇所設定部と、
前記複数の医用画像それぞれの、前記箇所設定部で設定された箇所から抽出した抽出像が共通サイズの表示領域内にいずれも表示可能となるように、各抽出像のサイズに合わせて該共通サイズを決定するサイズ決定部と、
前記共通サイズの表示領域に前記抽出像を表示する表示部とを構築することを特徴とする画像表示プログラム。
【請求項６】
被写体内で所定方向に並んだ複数の切断位置それぞれにおける複数の断面画像からなる断面画像群を構成する断面画像であって、別々の断面画像群に属して互いに切断位置が共通した複数の断面画像それぞれに対して画像上の箇所を設定する箇所設定部と、
前記断面画像群中の複数の断面画像に亘って連なっている、前記箇所から抽出した抽出像を含んだ一連の抽出像群を構成する各抽出像のサイズに合わせて、前記別々の断面画像群に属する該一連の抽出像群を構成する各抽出像が共通サイズの表示領域内にいずれも表示可能となるように該共通サイズを決定するサイズ決定部と、
前記一連の抽出像群を構成する各抽出像を前記共通サイズの表示領域に表示する表示部とを備えたことを特徴とする画像表示装置。
【請求項７】
前記箇所設定部は、前記断面画像中で、サンプル画像に類似した像が写っている箇所を検索し、該断面画像に対し、検索で見つかった箇所を設定するものであることを特徴とする請求項６記載の画像表示装置。
【請求項８】
前記箇所設定部で設定されたことのある箇所を記憶しておく記憶部と、
前記記憶部に記憶されている箇所を表示する過去箇所表示部とを備え、
前記箇所設定部は、前記断面画像に対して、前記過去表示部で表示された箇所のうちから選択された箇所を設定するものであることを特徴とする請求項６記載の画像表示装置。
【請求項９】
被写体内で所定方向に並んだ複数の切断位置それぞれにおける複数の断面画像からなる断面画像群を構成する断面画像であって、別々の断面画像群に属して互いに切断位置が共通した複数の断面画像それぞれに対して画像上の箇所を設定する箇所設定過程と、
前記断面画像群中の複数の断面画像に亘って連なっている、前記箇所から抽出した抽出像を含んだ一連の抽出像群を構成する各抽出像のサイズに合わせて、前記別々の断面画像群に属する該一連の抽出像群を構成する各抽出像が共通サイズの表示領域内にいずれも表示可能となるように該共通サイズを決定するサイズ決定過程と、
前記一連の抽出像群を構成する各抽出像を前記共通サイズの表示領域に表示する表示過程とを備えたことを特徴とする画像表示方法。
【請求項１０】
コンピュータ内で実行され、該コンピュータ上に、
被写体内で所定方向に並んだ複数の切断位置それぞれにおける複数の断面画像からなる断面画像群を構成する断面画像であって、別々の断面画像群に属して互いに切断位置が共通した複数の断面画像それぞれに対して画像上の箇所を設定する箇所設定部と、
前記断面画像群中の複数の断面画像に亘って連なっている、前記箇所から抽出した抽出像を含んだ一連の抽出像群を構成する各抽出像のサイズに合わせて、前記別々の断面画像群に属する該一連の抽出像群を構成する各抽出像が共通サイズの表示領域内にいずれも表示可能となるように該共通サイズを決定するサイズ決定部と、
前記一連の抽出像群を構成する各抽出像を前記共通サイズの表示領域に表示する表示部とを構築することを特徴とする画像表示プログラム。
【発明の詳細な説明】
【技術分野】
【０００１】
本発明は、被写体を撮影した医用画像を表示する画像表示装置、画像表示方法、および画像表示プログラムに関する。
【背景技術】
【０００２】
医療の分野においては、放射線等を使って被験者の体内を撮影した医用画像を、被験者の病状の診断等に利用することが広く行われている。医用画像を診断に利用することにより、被験者に外的なダメージを与えることなく、被験者の病状の進行状態などを把握することができ、治療方針の決定などに必要な情報を手軽に得ることができる。
【０００３】
また、近年では、放射線を使ってデジタルの医用画像を得るＣＲ（Ｃｏｍｐｕｔｅｄ  Ｒａｄｉｏｇｒａｐｈｙ）装置や、放射線を使って被験者の断層像を得るＣＴ装置（Ｃｏｍｐｕｔｅｒｉｚｅｄ  Ｔｏｍｏｇｒａｐｈｙ）、および強磁場を使って被験者の断層像を得るＭＲＩ装置（Ｍａｇｎｅｔｉｃ  Ｒｅｓｏｎａｎｃｅ  Ｉｍａｇｉｎｇ）などが広く用いられてきており、従来のＸ線フィルム等を使った医用画像に替えて、デジタルの医用画像が一般的に利用されてきている。医用画像のデジタル化によって、被験者の医用画像をデジタル化されたカルテなどと一緒にまとめて管理し、それらをネットワークを介して複数の病院等で共有することができ、診療部門や病院が変わっても、それまでの病歴が示された医用画像やカルテを流用することができる。
【０００４】
ここで、通常は、検査時に撮影された医用画像は、カルテなど一緒に被検体ごとにまとめて保存されていることが一般的であり、実際の診断時には、異なる時期に撮影された複数の医用画像をモニタ上に並べて表示する比較読影が行われる。この比較読影は、病巣の大きさの変化などを容易に確認することができ、病状や治療の効果を診断するのに大変有用な方法の１つである。
【０００５】
また、特許文献１には、複数の医用画像をモニタ上に並べて表示するとともに、それらの医用画像上で注目箇所を指定すると、その注目箇所を中心として所定の大きさの注目領域を切り出してモニタ上に拡大表示する技術について記載されている。この特許文献１に記載された技術によると、病巣と思われる箇所を指定すると、その指定した箇所の画像部分が自動的に拡大表示されるため、病巣の大きさなどをより比較しやすくなる。
【特許文献１】特開２００６−０１４９２８号公報
【発明の開示】
【発明が解決しようとする課題】
【０００６】
しかし、特許文献１に記載された技術では、大きい病巣が注目領域から食み出してしまい、病巣の形状や大きさを認識しにくくなってしまう恐れがある。このような場合、ユーザが手動で注目領域を設定しなおす必要があり、多くの医用画像上で、逐一、注目領域を手動で設定していくのは、大変な手間と時間が掛かってしまうという問題がある。
【０００７】
本発明は、上記事情に鑑み、医用画像上の、病巣と思われる病変領域を自動的に適切な大きさで切り出して表示することができる画像表示装置および画像表示プログラムを提供することを目的とする。
【課題を解決するための手段】
【０００８】
上記目的を達成する本発明の画像表示装置は、被写体を撮影した複数の医用画像それぞれに対して画像上の箇所を設定する箇所設定部と、
複数の医用画像それぞれの、箇所設定部で設定された箇所に写っている各像が共通サイズの表示領域内にいずれも表示可能となるように、その各像のサイズに合わせて共通サイズを決定するサイズ決定部と、
共通サイズの表示領域に上記像を表示する表示部とを備えたことを特徴とする。
【０００９】
本発明の画像表示装置では、複数の医用画像それぞれに対して箇所が設定されると、それらの箇所に写っている各像がいずれも表示領域内に表示可能となる共通サイズが決定され、その共通サイズの表示領域内に像が表示される。このため、複数の医用画像上で、逐一、病巣等の像全体が含まれる領域を設定する手間を省き、容易に像全体を像のサイズに合った表示領域内に表示することができる。
【００１０】
また、本発明の画像表示装置において、上記表示部が、複数の医用画像それぞれに写っている各像を、互いに並んだ複数の表示領域それぞれに表示するものであることが好ましい。
【００１１】
複数の医用画像それぞれに写っている各像が並べて表示されることによって、病巣などの大きさや形状の変化を比較しやすくなる。
【００１２】
また、本発明の画像表示装置において、上記箇所設定部は、複数の医用画像のうちの一部の医用画像について画像上の箇所を操作に応じて設定するとともに、複数の医用画像のうち、上記箇所を設定された医用画像とは別の医用画像については、その箇所に相当する箇所を設定するものであることが好適である。
【００１３】
本発明の好適な画像表示装置によると、複数の医用画像それぞれに対して、逐一、病巣等の箇所を手動で設定する手間を省くことができる。
【００１４】
また、本発明の画像表示装置において、上記複数の医用画像は、同一被写体について異なる時期に撮影されたものであることが好ましい。
【００１５】
この好ましい画像表示装置によると、被検体の病巣の大きさの変化などを容易に認識することができる。
【００１６】
また、本発明の画像表示装置において、上記医用画像が、被写体内で所定方向に並んだ複数の切断位置それぞれにおける複数の断面画像からなる断面画像群を構成する断面画像であって、複数の医用画像は、別々の断面画像群に属して互いに切断位置が共通した複数の断面画像であり、
上記サイズ決定部が、断面画像群中の複数の断面画像に亘って連なっている、上記箇所に写っている像を含んだ一連の像群を構成する各像のサイズに合わせて、別々の断面画像群に属する各像群を構成する各像が共通サイズの表示領域内にいずれも表示可能となるように共通サイズを決定するものであり、
上記表示部が、像群を構成する像を共通サイズの表示領域に表示し、所定操作を受けて、その表示した像に替えて、像群に属する他の像を表示するものであることが好ましい。
【００１７】
表示領域内に表示する像を操作に応じて変更することによって、ユーザは、様々な切断位置における像を容易に確認することができ、病巣等の立体的な形状や大きさなどを認識することができる。また、複数の断面画像に亘って連なっている一連の像群を構成する全ての像が表示領域内に表示可能な共通サイズが決定されることによって、表示領域に表示する像を切り替えても、病巣等の縁が欠けていない、診断に有用な画像を常に表示することができる。
【００１８】
また、上記目的を達成する本発明の画像表示プログラムは、コンピュータ内で実行され、コンピュータ上に、
被写体を撮影した複数の医用画像それぞれに対して画像上の箇所を設定する箇所設定部と、
複数の医用画像それぞれの、箇所設定部で設定された箇所に写っている各像が共通サイズの表示領域内にいずれも表示可能となるように、その各像のサイズに合わせて共通サイズを決定するサイズ決定部と、
共通サイズの表示領域に前記像を表示する表示部とを構築することを特徴とする。
【００１９】
本発明の画像表示プログラムによると、像全体を像のサイズに合った表示領域内に表示する画像表示装置を構築することができる。
【００２０】
尚、画像表示プログラムについては、ここではそれらの基本形態のみを示すのにとどめるが、これは単に重複を避けるためであり、本発明にいうサイズ計測プログラムには、上記の基本形態のみではなく、前述した画像表示装置に対応する各種の形態が含まれる。
【００２１】
さらに、本発明の画像表示プログラムがコンピュータシステム上に構築する箇所設定部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【発明の効果】
【００２２】
本発明によれば、病巣と思われる病変領域を適切な大きさで切り出して拡大表示することができる。
【発明を実施するための最良の形態】
【００２３】
以下、図面を参照して本発明の実施の形態を説明する。
【００２４】
図１は、本発明の一実施形態が適用された医療診断システムの概略構成図である。
【００２５】
図１に示す医療診断システムは、被検体の体内を撮影して医用画像を生成する画像生成装置１０と、医用画像やカルテなどを保存する管理サーバ２０と、医用画像を表示する診断装置３０とで構成されており、画像生成装置１０と管理サーバ２０、および管理サーバ２０と診断装置３０は、ネットワーク回線を介して接続されている。
【００２６】
この医療診断システムでは、初診の被検体に対して、各被検体を識別するための識別番号が割り当てられ、その識別番号と、被検体の氏名や年齢や病歴などが示されたカルテとが対応付けられて管理サーバ２０に登録される。
【００２７】
画像生成装置１０には、被検体に放射線を照射し、被検体を透過してきた放射線を読み取ってデジタルの医用画像を生成するＣＲ装置１１や、強磁場と電波とを使って被検体の断層画像を生成するＭＲＩ装置１２や、放射線を使って被検体の断層画像を生成するＣＴ装置（図示しない）や、超音波のエコーを読み取って医用画像を生成する超音波装置（図示しない）などが含まれる。画像生成装置１０で生成された医用画像は、その医用画像の被検体である被検体を識別する識別番号とともに管理サーバ２０に送られる。
【００２８】
管理サーバ２０は、画像生成装置１０から医用画像と識別番号とが送られてくると、その医用画像を識別番号と対応付けて記憶する。すなわち、管理サーバ２０には、識別番号と、その識別番号が割り当てられた被検体のカルテと、被検体の医用画像とが対応付けられて登録される。
【００２９】
診断装置３０は、外観構成上、本体装置３１、その本体装置３１からの指示に応じて表示画面３２ａ上に画像を表示する画像表示装置３２、本体装置３１に、キー操作に応じた各種の情報を入力するキーボード３３、および、表示画面３２ａ上の任意の位置を指定することにより、その位置に表示された、例えばアイコン等に応じた指示を入力するマウス３４を備えている。
【００３０】
ユーザが診断装置３０のマウス３４等を使って被検体の氏名や識別番号などを入力すると、その入力内容が管理サーバ２０に伝えられる。管理サーバ２０は、診断装置３０から伝えられた被検体の氏名や識別番号と対応付けられた医用画像とカルテを診断装置３０に向けて送る。診断装置３０では、表示画面３２ａ上に、管理サーバ２０から送られてきた医用画像が表示される。診断装置３０の表示画面３２ａ上に表示された医用画像を確認することにより、ユーザは、被検体に外的なダメージを与えることなく、被検体の病状を診断することができる。
【００３１】
ユーザは、診断装置３０の表示画面３２ａに表示された医用画像を見て被検体の病状を診断し、マウス３４やキーボード３３を使ってカルテを編集する。編集後のカルテは、管理サーバ２０に送られ、管理サーバ２０に記憶されているカルテが診断装置３０から送られてきた新たなカルテに更新される。
【００３２】
図１に示す医療診断システムは、基本的には以上のように構成されている。
【００３３】
ここで、医療診断システムにおける本発明の一実施形態としての特徴は、診断装置３０で実行される処理内容にある。以下、診断装置３０について詳しく説明する。
【００３４】
図２は、診断装置３０のハードウェア構成図である。
【００３５】
診断装置３０の本体装置３１の内部には、図２に示すように、各種プログラムを実行するＣＰＵ３０１、ハードディスク装置３０３に格納されたプログラムが読み出されＣＰＵ３０１での実行のために展開される主メモリ３０２、各種プログラムやデータ等が保存されたハードディスク装置３０３、ＦＤ４１が装填され、そのＦＤ４１をアクセスするＦＤドライブ３０４、ＣＤ−ＲＯＭ４２をアクセスするＣＤ−ＲＯＭドライブ３０５、管理サーバ２０から画像データ等を受け取り、管理サーバ２０に各種指示データを送るＩ／Ｏインタフェース３０６が内蔵されており、これらの各種要素と、さらに図１にも示す画像表示装置３２、キーボード３３、マウス３４は、バス３０７を介して相互に接続されている。
【００３６】
ここで、ＣＤ−ＲＯＭ４２には、診断装置３０内に本発明の画像表示装置の一実施形態を構築するための、本発明の画像表示プログラムの一実施形態である医用画像表示プログラム１００（図３参照）が記憶されている。
【００３７】
図３は、ＣＤ−ＲＯＭ４２を示す概念図である。
【００３８】
図３に示すように、ＣＤ−ＲＯＭ４２に記憶された医用画像表示プログラム１００は、画像取得部１１０、注目箇所指定部１２０、注目箇所設定部１３０、計測部１４０、画像切出部１５０、切断位置切替部１６０、および画像表示部１７０で構成されている。
【００３９】
ＣＤ−ＲＯＭ４２は、診断装置３０のＣＤ−ＲＯＭドライブ３０５に装填され、ＣＤ−ＲＯＭ４２に記憶された医用画像表示プログラム１００が診断装置３０にアップロードされてハードディスク装置３０３に記憶される。そして、この医用画像表示プログラム１００が起動されて実行されることにより、診断装置３０内に本発明の画像表示装置の一実施形態である医用画像表示装置２００（図４参照）が構築される。
【００４０】
尚、上記では、医用画像表示プログラム１００を記憶する記憶媒体としてＣＤ−ＲＯＭ４２が例示されているが、医用画像表示プログラム１００を記憶する記憶媒体はＣＤ−ＲＯＭに限られるものではなく、それ以外の光ディスク、ＭＯ、ＦＤ、磁気テープなどの記憶媒体であってもよい。また、医用画像表示プログラム１００は、記憶媒体を介さずに、Ｉ／Ｏインタフェース３０６を介して直接に診断装置３０に供給されるものであってもよい。
【００４１】
医用画像表示プログラム１００の各部の詳細については、医用画像表示装置２００の各部の作用と一緒に説明する。
【００４２】
図４は、医用画像表示装置２００の機能ブロック図である。
【００４３】
医用画像表示装置２００は、画像取得部２１０と、注目箇所指定部２２０と、注目箇所設定部２３０と、計測部２４０と、画像切出部２５０と、画像表示部２７０とを有している。
【００４４】
医用画像表示装置２００を構成する、画像取得部２１０と、注目箇所指定部２２０と、注目箇所設定部２３０と、計測部２４０と、画像切出部２５０と、切断位置切替部２６０と、画像表示部２７０は、図３の医用画像表示プログラム１００を構成する、画像取得部１１０、注目箇所指定部１２０、注目箇所設定部１３０、計測部１４０、画像切出部１５０、切断位置切替部１６０、および画像表示部１７０にそれぞれ対応する。
【００４５】
図４の各要素は、コンピュータのハードウェアとそのコンピュータで実行されるＯＳやアプリケーションプログラムとの組合せで構成されているのに対し、図３に示す医用画像表示プログラム１００の各要素はそれらのうちのアプリケーションプログラムのみにより構成されている点が異なる。
【００４６】
図５は、図４に示す医用画像表示装置２００において、管理サーバ２０から医用画像を取得し、その取得した医用画像を表示するまでの一連の処理の流れを示すフローチャート図である。
【００４７】
以下、図５のフローチャートに従って、図４に示す医用画像表示装置２００の各要素の動作について説明することによって、図３に示す医用画像表示プログラム１００の各要素も併せて説明する。
【００４８】
ユーザが図１に示すマウス３４やキーボード３３を使って、診断を行う被検体の氏名や識別番号を入力すると、その入力内容が図２のＩ／Ｏインタフェース３０６を介して管理サーバ２０に伝えられる。管理サーバ２０では、診断装置３０から伝えられた氏名や識別番号と対応付けられた医用画像とカルテが診断装置３０に向けて送られる。
【００４９】
管理サーバ２０から送られてきた医用画像は、図４に示す画像取得部２１０で取得される（図５のステップＳ１）。
【００５０】
図６は、管理サーバ２０から送られてくる医用画像のイメージを示す図である。
【００５１】
図１に示すＭＲＩ装置１２では、被検体Ｐを検査台上の所定位置に頭を合わせて寝かせた状態で、被検体Ｐを胸から足の付け根までが含まれる撮影範囲内で所定間隔（スライス幅）ごとに切断したときの各断面が撮影される。この例では、相互に異なる時期に、同じスライス幅が設定されたＭＲＩ装置１２を使って同じ被検体Ｐが２度撮影され、それら各撮影において、複数の断面画像で構成される断面画像群３１０，３２０が生成されて、管理サーバ２０に記憶されている。この例においては、断面画像群３１０，３２０は、同じスライス幅が設定された状態で撮影されているため、同じスライス番号が付された断面画像同士は、撮影範囲内の同じ切断位置が撮影されたものであり、スライス番号ｉにおける切断位置をＸｉと表わし、その切断位置Ｘｉの断面画像を３１０＿Ｘｉ，３２０＿Ｘｉと表現して説明する。画像取得部２１０では、これら２回分の断面画像群３１０，３２０が取得され、取得された断面画像群３１０，３２０が画像表示部２７０、および注目箇所設定部２３０に伝えられる。
【００５２】
画像表示部２７０は、画像取得部２１０から伝えられた断面画像群３１０，３２０が含まれた断面画像表示画面４１０（図７参照）を図１に示す表示画面３２ａ上に表示する。画像表示部２７０は、本発明にいう表示部の一例に相当する。
【００５３】
図７は、断面画像表示画面の一例を示す図である。
【００５４】
図７に示す断面画像表示画面４１０には、断面画像群３１０，３２０を構成する断面画像のうち、撮影範囲の端に相当する切断位置Ｘ０における断面画像３１０＿Ｘ０，３２０＿Ｘ０が表示されており、さらに、それら断面画像３１０＿Ｘ０，３２０＿Ｘ０の切断位置や、撮影日や、被検体名などが表示されている。
【００５５】
２つの断面画像３１０＿Ｘ０，３２０＿Ｘ０は、相互に異なる時期に、同じ被写体の同じ切断位置の断面が撮影された画像であり、それらを見比べることによって、病巣などの変化を確認することができるが、病巣の増減が小さい場合には、これらを見比べるだけでは変化が分かりにくいという問題がある。
【００５６】
本実施形態の医用画像表示装置２００では、まず、２つの断面画像３１０＿Ｘ０，３２０＿Ｘ０のうちの一方の断面画像上で注目箇所Ｐ１が設定される（図５のステップＳ２）。図７の例では、ユーザが図１に示すマウス３４を使って左側の断面画像３１０＿Ｘ０上で注目点をクリックすると、図４に示す注目箇所指定部２２０から注目箇所設定部２３０に、クリックされた注目点の位置が伝えられる。
【００５７】
注目箇所設定部２３０は、断面画像３１０＿Ｘ０，３２０＿Ｘ０のうちの、注目点が指定された断面画像については、その指定された注目点を注目箇所Ｐ１と決定し、注目点が指定されなかった断面画像については、他方の断面画像に対して決定された注目箇所と同じ箇所を注目箇所Ｐ２に決定する。図７の例では、左側の断面画像３１０＿Ｘ０上の病変箇所がクリックされることにより、その病変箇所が注目箇所Ｐ１と決定され、右側の断面画像３２０＿Ｘ０上の、注目箇所Ｐ１に対応する箇所が注目箇所Ｐ２と決定される。さらに、断面画像群３１０を構成する複数の断面画像上の、注目箇所Ｐ１と同じ位置が注目箇所Ｐ１と決定され、断面画像群３２０を構成する複数の断面画像上の、注目箇所Ｐ２と同じ位置が注目箇所Ｐ２と決定される。注目箇所指定部２２０と注目箇所設定部２３０とを合わせたものは、本発明にいう箇所設定部の一例に相当する。決定された注目箇所Ｐ１，Ｐ２の位置と、断面画像群３１０，３２０は、計測部２４０に伝えられる。
【００５８】
計測部２４０では、断面画像３１０＿Ｘ０，３２０＿Ｘ０上の、注目箇所Ｐ１，Ｐ２を含む病変像Ｓ１，Ｓ２が抽出され、それら病変像Ｓ１，Ｓ２それぞれの長径と短径とが計測される（図５のステップＳ３）。
【００５９】
注目箇所Ｐ１，Ｐ２を含む病変像Ｓ１，Ｓ２を抽出し、それらの長径と短径を計測する方法について、簡単に説明する。
【００６０】
近年、様々なシーンで撮影された複数のサンプル画像それぞれに対して、画素値の最大値、最小値、平均値、中間値などといった多数種類の画像的特徴量を算出して、各シーンとその画像的特徴との対応をコンピュータで学習させるマシンラーニングが広く利用されている。このマシンラーニングを用いると、人間では扱いきれない数の特徴量を用いることができるとともに、人間の推測力では思いもつかないような相関関係が見つかって、精度の高い判別が実現することが知られている。本実施形態の計測部２４０には、予め、断面画像中の、予め腫瘍等と分かっている標準的な病変像における画像的特徴が記憶されており、マシンラーニングを利用して病変像の探索が行われる。
【００６１】
計測部２４０では、まず、各断面画像３１０＿Ｘ０，３２０＿Ｘ０中の、注目箇所Ｐ１，Ｐ２を取り囲む注目領域Ｒ１，Ｒ２が決定される。この注目領域Ｒ１，Ｒ２の大きさは、一般的な腫瘍等が確実に含まれる経験的な値として予め用意されている。
【００６２】
続いて、各注目領域Ｒ１，Ｒ２に含まれる各画素の画像的特徴が分析され、各注目領域Ｒ１，Ｒ２内の画素のうち、予め保存されている病変部分の画像的特徴と合致する画素が探索される。
【００６３】
さらに、病変部分の画像的特徴と合致した画素に対し、各画素が病変像の輪郭を構成する画素であるか否かが評価され、注目領域Ｒ１，Ｒ２の中から、注目箇所Ｐ１，Ｐ２を含み、病変部分であると予測される病変像Ｓ１，Ｓ２の輪郭が抽出される。
【００６４】
病変像Ｓ１，Ｓ２の輪郭が抽出されると、各病変像Ｓ１，Ｓ２の長径と短径とが計測される。
【００６５】
上述した、注目箇所Ｐ１，Ｐ２の指定を受けて、その注目箇所を含む病変像Ｓ１，Ｓ２の輪郭を抽出し、さらに病変像Ｓ１，Ｓ２の長径および短径を計測する一連の処理は、ワンクリック計測として考案されている技術である。
【００６６】
計測部２４０では、断面画像３１０＿Ｘ０，３２０＿Ｘ０と同様に、断面画像群３１０，３２０それぞれを構成する他の断面画像についても同様に、病変像の長径および短径の計測が実行される。長径および短径が計測される過程の中で抽出された病変像Ｓ１，Ｓ２は、断面画像群３１０，３２０とともに画像切出部２５０に伝えられる。
【００６７】
画像切出部２５０では、断面画像３１０＿Ｘ０，３２０＿Ｘ０中から、抽出された病変像Ｓ１，Ｓ２全体を含む画像部分を切り出した切出画像が生成される（図５のステップＳ４）。
【００６８】
図８は、切出画像を生成する方法を示す概念図である。
【００６９】
画像切出部２５０では、まず、病変像Ｓ１，Ｓ２それぞれを内包する最小内包長方形Ａ１，Ａ２が算出される。
【００７０】
続いて、算出された最小内包長方形Ａ１，Ａ２それぞれの中心点Ｃ１，Ｃ２が算出されるとともに、最小内包長方形Ａ１，Ａ２それぞれの、横方向の長さｘ１，ｘ２および縦方向の長さｙ１，ｙ２が算出される。
【００７１】
最小内包長方形Ａ１，Ａ２それぞれの中心点と大きさとが算出されると、断面画像３１０＿Ｘ０，３２０＿Ｘ０から、注目箇所Ｐ１，Ｐ２を含む画像部分が切り出される。最小内包長方形Ａ１，Ａ２それぞれの横方向の長さｘ１，ｘ２のうちの長い方の長さをＬｘ（図８では、Ｌｘ＝ｘ２）、最小内包長方形Ａ１，Ａ２それぞれの縦方向の長さｙ１，ｙ２のうちの長い方の長さをＬｙ（図８では、Ｌｙ＝ｙ１）、所定の余裕幅をｈ（例えば、５画素程度）として、断面画像３１０＿Ｘ０，３２０＿Ｘ０から、中心点Ｃ１，Ｃ２を中心として、横方向の長さが（Ｌｘ＋ｈ）、縦方向の長さが（Ｌｙ＋ｈ）の長方形内の画像部分が切り出されて、切出画像５１０＿Ｘ０，５２０＿Ｘ０が生成される。計測部２４０と画像切出部２５０とを合わせたものは、本発明にいうサイズ決定部の一例に相当する。
【００７２】
生成された切出画像５１０＿Ｘ０，５２０＿Ｘ０は、画像表示部２７０に伝えられる。
【００７３】
画像表示部２７０は、画像切出部２５０から伝えられた切出画像５１０＿Ｘ０，５２０＿Ｘ０を、図７に示す断面画像表示画面４１０上の、予めサイズが決められている切出画像表示領域内に、その切出画像表示領域のサイズと同じサイズに拡大して並べて表示する（図５のステップＳ５）。
【００７４】
図９は、切出画像５１０＿Ｘ０，５２０＿Ｘ０が表示された断面画像表示画面４１０の一例を示す図である。
【００７５】
図９に示す断面画像表示画面４１０には、画像切出部２５０で生成された切出画像５１０＿Ｘ０，５２０＿Ｘ０が並べて拡大表示されており、断面画像３１０＿Ｘ０，３２０＿Ｘ０上の、切出画像５１０＿Ｘ０，５２０＿Ｘ０が切り出された切出領域Ｒ＿１，Ｒ＿２には、枠が表示されている。
【００７６】
このように、本実施形態によると、ユーザは１つの断面画像３１０＿Ｘ０上で病巣と思われる注目箇所を指定するだけで、他方の断面画像３２０＿Ｘ０上でも指定箇所と同じ位置が注目箇所として設定され、断面画像３１０＿Ｘ０，３２０＿Ｘ０それぞれの、注目箇所を含む病変像全体が、その病変像の大きさに応じた大きさで切り出されて拡大表示される。このため、複数回の検査結果をまとめて比較する場合であっても、多数の医用画像上で、逐一、注目領域を設定する手間や時間を省いて、容易に診断に有用な画像を得ることができる。
【００７７】
また、図９に示す表示の状態で、ユーザがマウス３４のホイールを回すと、図４に示す切断位置切替部２６０から画像切出部２５０に切断位置の切り替えが指示される。
【００７８】
画像切出部２５０では、現時点で表示されている断面画像３１０＿Ｘ０，３２０＿Ｘ０それぞれの切断位置Ｘ０から、ホイールの回転量に応じた距離だけ、ホイールの回転方向に応じた方向に離れた切断位置Ｘｎの断面画像３１０＿Ｘｎ，３２０＿Ｘｎにおける切出画像５１０＿Ｘｎ，５２０＿Ｘｎが生成されるとともに、生成された切出画像５１０＿Ｘｎ，５２０＿Ｘｎと断面画像３１０＿Ｘｎ，３２０＿Ｘｎが画像表示部２７０に伝えられる。画像表示部２７０では、断面画像３１０＿Ｘｎ，３２０＿Ｘｎおよび切出画像５１０＿Ｘｎ，５２０＿Ｘｎが断面画像表示画面４１０上に表示される。ユーザの指示によって切断位置を切り替えて表示することによって、様々な切断位置で病巣を確認することができ、病巣の形や大きさ等を立体的に把握することができる。
【００７９】
以上のように、本実施形態によると、医用画像中の、病巣と考えられる病変部分を、外周部の欠けなどを回避して容易に拡大表示することができる。
【００８０】
以上で、本発明の第１実施形態の説明を終了し、本発明の第２実施形態について説明する。本発明の第２実施形態は、図４に示す第１実施形態と同様の構成を有しているため、図４および図８を第２実施形態の説明でも流用し、第１実施形態との相違点についてのみ説明する。
【００８１】
本実施形態の計測部２４０では、３次元ワンクリック計測が実行されることによって、まず、各断面画像群３１０，３２０ごとに、Ｚ軸方向に並んだ複数の断面画像それぞれに対して設定された注目箇所Ｐ１，Ｐ２全体を取り囲む３次元的な注目領域Ｒ１，Ｒ２が決定される。この注目領域Ｒ１，Ｒ２の大きさも、一般的な腫瘍等が確実に含まれる経験的な値として予め用意されている。
【００８２】
続いて、注目領域Ｒ１，Ｒ２内に含まれる各断面画像に対して、注目箇所Ｐ１，Ｐ２を含む病変像Ｓ１，Ｓ２が抽出されることにより、注目領域Ｒ１，Ｒ２それぞれに含まれる複数の断面画像上の病変像Ｓ１，Ｓ２がＺ軸方向に連なった病変像群Ｓ１´，Ｓ２´が抽出される。
【００８３】
画像切出部２５０では、病変像群Ｓ１´，Ｓ２´それぞれを構成する複数の病変像Ｓ１，Ｓ２のいずれもが含まれる切出領域の共通サイズが算出され、その切出領域で病変像Ｓ１，Ｓ２が切り出された切出画像が生成される。
【００８４】
ここでは、図８を３次元の領域を示す図であるとして説明する。
【００８５】
画像切出部２５０では、まず、３次元の病変像群Ｓ１´，Ｓ２´全体を内包する最小内包直方体Ａ１，Ａ２が算出される。
【００８６】
続いて、最小内包直方体Ａ１，Ａ２内に含まれる断面画像上で、算出された最小内包直方体Ａ１，Ａ２の断面に相当する長方形領域の中心点Ｃ１，Ｃ２が算出されるとともに、最小内包直方体Ａ１，Ａ２の、Ｘ軸方向の長さｘ１，ｘ２およびＹ軸方向の長さｙ１，ｙ２が算出される。
【００８７】
最小内包直方体Ａ１，Ａ２それぞれの横方向の長さｘ１，ｘ２のうちの長い方の長さをＬｘ（図８では、Ｌｘ＝ｘ２）、最小内包直方体Ａ１，Ａ２それぞれの縦方向の長さｙ１，ｙ２のうちの長い方の長さをＬｙ（図８では、Ｌｙ＝ｙ１）、所定の余裕幅をｈ（例えば、５画素程度）として、断面画像群３１０，３２０を構成する各断面画像上で、中心点Ｃ１，Ｃ２を中心として、横方向の長さが（Ｌｘ＋ｈ）、縦方向の長さが（Ｌｙ＋ｈ）の長方形の領域が切り出されて、切出画像群５１０，５２０が生成される。
【００８８】
生成された切出画像群５１０，５２０は、画像表示部２７０に伝えられる。
【００８９】
画像表示部２７０は、画像切出部２５０から伝えられた切出画像群５１０，５２０のうち、現在、表示されている切断位置Ｘ０に対応する切断画像５１０＿Ｘ０，５２０＿Ｘ０を、図７に示す断面画像表示画面４１０上の断面画像３１０＿Ｘ０，３２０＿Ｘ０の近傍に並べて拡大表示する。
【００９０】
ユーザがマウス３４のホイールを回すと、現在の切断位置Ｘ０からホイールの回転量に応じた距離だけ離れた切断位置Ｘｎの断面画像３１０＿Ｘｎ，３２０＿Ｘｎ、および切出画像５１０＿Ｘｎ，５２０＿Ｘｎが断面画像表示画面４１０上に表示される。
【００９１】
このように、３次元ワンクリック計測を利用して３次元の病変像群Ｓ１´，Ｓ２´を抽出し、病変像群Ｓ１´，Ｓ２´それぞれを構成する複数の病変像Ｓ１，Ｓ２のいずれもが含まれる切出領域の共通サイズが決定されて、その共通サイズの切出画像が生成されることによって、切断位置を切り替えても病変部分の縁が欠けていない診断に有用な切出画像を素早く確実に表示することができる。
【００９２】
ここで、上記では、２セットの断面画像群に含まれる断面画像を表示する例について説明したが，本発明にいう画像表示部は、３セット以上の断面画像群に含まれる断面画像を表示するものであってもよい。
【００９３】
また、上記では、断面画像上で注目点を指定する例について説明したが、本発明にいう箇所設定部は、例えば、断面画像中の注目領域を指定するものであってもよい。
【００９４】
また、上記では、断面画像上でユーザが病巣と推測される注目箇所を手動で指定する例について説明したが、本発明にいう箇所設定部は、例えば、断面画像中の、サンプル画像と似ている画像パターンを有する画像部分を画像処理によって検索し、その検索された画像部分を注目箇所として設定するものであってもよい。
【００９５】
また、本発明の画像表示装置は、過去に撮影された断面画像上で病変部分の位置を保存しておき、新たな断面画像のセットが得られた場合に、過去の病変部分のリストを表示して、ユーザによって選択された病変部分の位置を取得して今回の注目箇所として設定するものであってもよい。
【００９６】
また、本発明の画像表示装置は、例えば、右肺野や左肺野上の注目箇所が指定された場合、それら右肺野および左肺野の中心点を注目箇所として設定してもよい。
【００９７】
また、上記では、本発明の画像表示装置を診断装置に適用する例について説明したが、本発明の画像表示装置は、管理サーバなどに適用してもよい。
【図面の簡単な説明】
【００９８】
【図１】本発明の一実施形態が適用された医療診断システムの概略構成図である。
【図２】診断装置のハードウェア構成図である。
【図３】ＣＤ−ＲＯＭを示す概念図である。
【図４】医用画像表示装置の機能ブロック図である。
【図５】管理サーバから医用画像を取得し、その取得した医用画像を表示するまでの一連の処理の流れを示すフローチャート図である。
【図６】管理サーバから送られてくる医用画像のイメージを示す図である。
【図７】断面画像表示画面の一例を示す図である。
【図８】切出画像を生成する方法を示す概念図である。
【図９】切出画像が表示された断面画像表示画面の一例を示す図である。
【符号の説明】
【００９９】
１０    画像生成装置
１１    ＣＲ装置
１２    ＭＲＩ装置
２０    管理サーバ
３０    診断装置
３１    本体装置
３２    画像表示装置
３３    キーボード
３４    マウス
３０１    ＣＰＵ
３０２    主メモリ
３０３    ハードディスク装置
３０４    ＦＤドライブ
３０５    ＣＤ−ＲＯＭドライブ
３０６    Ｉ／Ｏインタフェース
１００    医用画像表示プログラム
１１０    画像取得部
１２０    注目箇所指定部
１３０    注目箇所設定部
１４０    計測部
１５０    画像切出部
１６０    切断位置切替部
１７０    画像表示部
２００    医用画像表示装置
２１０    画像取得部
２２０    注目箇所指定部
２３０    注目箇所設定部
２４０    計測部
２５０    画像切出部
２６０    切断位置切替部
２７０    画像表示部
【図１】
0004528322.tif 000002
【図２】
0004528322.tif 000003
【図３】
0004528322.tif 000004
【図４】
0004528322.tif 000005
【図５】
0004528322.tif 000006
【図６】
0004528322.tif 000007
【図７】
0004528322.tif 000008
【図８】
0004528322.tif 000009
【図９】
0004528322.tif 000010